(57)【要約】【課題】商用交流電力の供給に支障が生じたときに多数のサーボアンプ等の負荷に対し代替電力を供給する直流電源用電圧低下保護装置において、装置の小型化を図り省スペースを実現する。【解決手段】商用交流電源２から正常に交流電力が供給されているとき、電源バックアップ部１０では、昇圧・整流により生成した直流電圧により電解コンデンサを充電する。商用交流電力の供給に支障が生じると、電源バックアップ部１０において、電解コンデンサに蓄積されている電気エネルギーをＤＣ／ＤＣコンバータにより降圧して代替直流電力を生成する。この代替直流電力は、電力分配部２０にあって分岐された各線路毎に設けられたダイオードを通して各サーボアンプ３０のＰ／Ｎ端子３６に供給され、サーボモータ３の駆動の継続を可能とする。【選択図】図１
2013150380.tif 000002
【特許請求の範囲】
【請求項１】
直流電力により駆動される複数の負荷装置に対し、商用交流電源から供給される交流電力から生成される直流電力の供給に障害が起きたときに代替直流電力を供給する直流電源用電圧低下保護装置であって、
a)電圧低下が生じた異常時に代替直流電力を生成する代替直流電力生成手段と、
b)複数の負荷装置がそれぞれ接続される複数の直流電圧出力端と、
c)前記複数の直流電圧出力端と前記代替直流電力生成手段からの代替直流電力が入力される入力端との間をそれぞれ接続するように設けられた代替直流電力分配手段と、
を備え、前記代替直流電力分配手段は、前記代替直流電力生成手段から各直流電圧出力端へ向かう直流電流の流れを許容する一方、その各直流電圧出力端から前記代替直流電力生成手段へ向かう直流電流の流れを遮断する電流方向制限手段を有し、前記代替直流電力生成手段から出力される代替直流電力を複数の直流電圧出力端に分配するよう構成されてなることを特徴とする直流電源用電圧低下保護装置。
【請求項２】
前記代替直流電力生成手段は、電気エネルギーを蓄えるための蓄電手段と、商用交流電源から供給される交流電力を第１直流電圧の直流電力に変換して前記蓄電手段を充電する充電手段と、前記蓄電手段に蓄えられている電気エネルギーによる直流電圧を所定の第２直流電圧に降圧する又は昇圧する放電動作を行う変換手段と、商用交流電源から供給される交流電力の電圧低下を検出し電圧低下がない正常時に前記充電手段による充電を行い、電圧低下が生じた異常時に前記変換手段による放電を行うように前記充電手段及び前記変換手段をそれぞれ制御する制御手段と、を備えたことを特徴とする請求項１に記載の直流電源用電圧低下保護装置。
【請求項３】
前記代替直流電力分配手段は、前記代替直流電力生成手段において前記変換手段が放電動作を行う際に出力される前記第２直流電圧を有する代替直流電力を分配するよう構成されてなることを特徴とする請求項２に記載の直流電源用電圧低下保護装置。
【請求項４】
前記代替直流電力分配手段は、前記複数の直流電圧出力端と該直流電圧出力端に接続された線路上に設けられた前記電流方向制限手段との間で電圧を検知する電圧検知手段を該直流電圧出力端毎に有し、複数の前記電圧検知手段により検知された電圧に基づいて、前記複数の直流電圧出力端に接続された負荷装置の異常又は該負荷装置に至る線路の異常を監視する異常監視手段をさらに備えたことを特徴とする請求項１乃至３のいずれかに記載の直流電源用電圧低下保護装置。
【発明の詳細な説明】
【技術分野】
【０００１】
本発明は、商用交流電力を直流電力に変換しその直流電力を基にして制御を行ったり他の機器を駆動したりする負荷装置に電力を供給する直流電源において、入力の交流電圧が一時的に（瞬間的又は或る程度の時間継続的に）低下したときでも直流電力を負荷装置に供給し続ける直流電源用電圧低下保護装置に関し、さらに詳しくは、複数の負荷装置に対する直流電力の供給を代替する直流電源用電圧低下保護装置に関する。
【背景技術】
【０００２】
外部の商用交流電源から供給される交流電力を直流電力に変換した後、この直流電力をさらに交流電力に変換して他の機器を制御する負荷装置の一例として、サーボモータを駆動制御するサーボアンプがある。図４は、特許文献１などに記載の、サーボアンプ３０を中心とするサーボモータ制御系の概略構成図である。
【０００３】
図４において、サーボアンプ３０は、商用交流電源２から供給される交流電力を直流に変換するダイオードブリッジ回路を含む整流部３１と、交流／直流変換後の直流電圧を平滑化するコンデンサ３２と、直流電圧をスイッチングすることで交流電圧に変換するインバータ部３３と、インバータ部３３による直流／交流変換後の交流電流を検出する出力電流検出部３４と、インバータ部３３に含まれる複数のスイッチング素子のオン・オフ動作を制御する制御回路部３５と、を含む。このサーボアンプ３０から出力される交流電流はサーボモータ３に供給され、サーボモータ３の回転速度は該モータ３に付設されたエンコーダ４から出力されるパルス信号を信号処理部５で処理することで検出され、上記制御回路部３５にフィードバックされる。即ち、このサーボモータ制御系ではサーボアンプ３０とサーボモータ３とを含むフィードバック制御閉ループが形成され、サーボアンプ３０はサーボモータ３へ供給する交流電力を制御することで、該モータ３の回転速度を所定値になるように制御する。
【０００４】
サーボアンプ３０において、整流部３１で交流／直流変換された後の直流電圧が掛かる直流電圧線は装置筐体に設けられたＰ／Ｎ端子３６に接続されている。このＰ／Ｎ端子３６は、主として、モータ回生用の回路を外部に接続することができるようにするためのものであり、市販されている多くのサーボアンプにごく一般的に設けられている。
【０００５】
上記のようなサーボモータ及びサーボアンプは産業用ロボットなどの産業用装置に多用されている。このような産業用装置においては、商用交流電源電圧が一時的に低下したり遮断されたりした場合（いわゆる瞬低が生じた場合）でも、サーボモータの駆動が継続されることが望ましい。こうした目的を達成する一般的な手法は、ＡＣ／ＡＣ用瞬低保護装置を設置するか、或いは、サーボアンプの直流電圧線路に接続される蓄電機能を有するコンデンサ３２の容量を増やし、瞬低発生時に、そのコンデンサ３２に蓄えていた電気エネルギーを利用してインバータ部３３から駆動電力を供給することである。
【０００６】
コンデンサ３２の両端はＰ／Ｎ端子３６に直結しているから、具体的な構成としては、Ｐ／Ｎ端子３６間に瞬低保護時間に対応した所定容量のコンデンサを接続すればコンデンサ３２の容量を増加したのと等価である。このときに追加されるコンデンサの容量によって瞬低保護可能な時間が決まる。停電や電圧低下が或る程度長引いた場合にサーボモータを安全に停止させるために必要な制御を実行するには、数秒〜十数秒程度の時間に亘り、コンデンサに蓄積しておいた電気エネルギーによる代替電力の電力供給を行えるようにする必要がある。このためには、追加する蓄電部としてのコンデンサの容量をかなり大きくする必要がある。
【０００７】
工場の生産ライン等においては上述したサーボモータが数多く使用されており、従来、サーボモータを駆動するサーボアンプ毎にそれぞれ上記のような電力代替供給用のコンデンサを設けていた。そのため、それら多数のサーボアンプに対する瞬低保護機能を達成する装置は工場内で大きなスペースを占有することとなり、工場内のスペースの有効利用を阻むとともに工場内のレイアウトの自由度を低下させる一因ともなっていた。また、一般に工場内では様々な仕様のサーボモータ、サーボアンプが用いられるため、その仕様に合わせて必要なコンデンサ容量を計算する必要があり、設計が面倒であるとともに生産ラインの変更などに対する柔軟性が低かった。
【０００８】
また、本願出願人は特許文献２においてバックアップ効率の高い直流電源用瞬低保護装置を提案しており、こうした装置をサーボアンプ毎に設置することも考えられるが、その場合でも、そうした瞬低下保護装置が大きなスペースを占有することは避けられず、またサーボアンプの台数が多いとコストもかなり高いものとなるという問題がある。
【先行技術文献】
【特許文献】
【０００９】
【特許文献１】特開２００９−２６１１６１号公報
【特許文献２】特開２０１１−４４７８号公報
【発明の概要】
【発明が解決しようとする課題】
【００１０】
本発明は上記課題に鑑みて成されたものであり、商用交流電力を交流／直流変換して駆動電力を生成するサーボアンプ等の負荷装置を多数駆動するシステムにおいて、商用交流電力の供給に支障が生じたときに代替電力を供給する直流電源用電圧低下保護装置において、装置の小型化を図り省スペースを実現することを主な目的としている。
【課題を解決するための手段】
【００１１】
上記課題を解決するために成された本発明は、直流電力により駆動される複数の負荷装置に対し、商用交流電源から供給される交流電力から生成される直流電力の供給に障害が起きたときに代替直流電力を供給する直流電源用電圧低下保護装置であって、
a)電圧低下が生じた異常時に代替直流電力を生成する代替直流電力生成手段と、
b)複数の負荷装置がそれぞれ接続される複数の直流電圧出力端と、
c)前記複数の直流電圧出力端と前記代替直流電力生成手段からの代替直流電力が入力される入力端との間をそれぞれ接続するように設けられた代替直流電力分配手段と、
を備え、前記代替直流電力分配手段は、前記代替直流電力生成手段から各直流電圧出力端へ向かう直流電流の流れを許容する一方、その各直流電圧出力端から前記代替直流電力生成手段へ向かう直流電流の流れを遮断する電流方向制限手段を有し、前記代替直流電力生成手段から出力される代替直流電力を複数の直流電圧出力端に分配するよう構成されてなることを特徴としている。
【００１２】
本発明の一実施態様として、前記代替直流電力生成手段は、電気エネルギーを蓄えるための蓄電手段と、商用交流電源から供給される交流電力を第１直流電圧の直流電力に変換して前記蓄電手段を充電する充電手段と、前記蓄電手段に蓄えられている電気エネルギーによる直流電圧を所定の第２直流電圧に降圧する又は昇圧する放電動作を行う変換手段と、商用交流電源から供給される交流電力の電圧低下を検出し電圧低下がない正常時に前記充電手段による充電を行い、電圧低下が生じた異常時に前記変換手段による放電を行うように前記充電手段及び前記変換手段をそれぞれ制御する制御手段と、を備えた構成とすることができる。
【００１３】
また、前記代替直流電力分配手段は、前記代替直流電力生成手段において前記変換手段が放電動作を行う際に出力される前記第２直流電圧を有する代替直流電力を分配するよう構成されてなるものとすることができる。
【００１４】
本発明に係る直流電源用電圧低下保護装置において、上記負荷装置は典型的にはサーボモータを駆動するサーボアンプであるが、これに限らずスイッチング電源などでもよい。負荷装置がサーボアンプである場合には、サーボアンプにごく一般的に装備されているＰ／Ｎ端子に本発明に係る直流電源用電圧低下保護装置における各直流電圧出力端が接続される。各サーボアンプのＰ／Ｎ端子には該サーボアンプ内部において平滑用コンデンサ等が接続されているが、本発明に係る直流電源用電圧低下保護装置と複数のサーボアンプとが接続された状態でも、代替直流電力分配手段に含まれる電流方向制限手段により複数のサーボアンプのＰ／Ｎ端子は互いに電気的に分離され、並列接続状態となることが避けられる。また、サーボアンプのＰ／Ｎ端子から本発明に係る直流電源用電圧低下保護装置へ向けての直流電流の流れは遮断されるので、商用交流電源から各サーボアンプへの電力供給が正常である場合に、各サーボアンプから本発明に係る直流電源用電圧低下保護装置へ電気エネルギーが漏出することもない。
【００１５】
一方、商用交流電源から交流電力が正常に供給されているとき、上記実施態様による直流電源用電圧低下保護装置において、充電手段は制御手段の制御の下に、例えば供給された交流電力を交流／直流変換して得られた直流電力の電圧を第１直流電圧に昇圧し蓄電手段を充電する。このときの第１直流電圧、つまり充電電圧は、蓄電手段の耐圧に応じて適宜に定めておけばよいが、エネルギー効率は電圧の二乗に比例するから、可能な限り高い充電電圧としたほうがエネルギー効率の点では有利である。
【００１６】
瞬時電圧低下や停電等により商用交流電源電圧が急に下がると、制御手段はこの電圧低下を検出し、変換手段で放電動作を実行するように制御する。すると、その直前まで蓄電手段に保持されていた電気エネルギーによる直流電圧が、変換手段により第２直流電圧まで降圧又は昇圧され、代替直流電力分配手段を介して複数の直流電圧出力端に分配される。そして、Ｐ／Ｎ端子を通してサーボアンプ等の各負荷装置に対しそれぞれ必要な代替直流電力が供給され、負荷装置の動作が継続されることになる。放電動作時には、第２直流電圧を略一定に維持するように変換手段の動作は制御される。そして、商用交流電源電圧が回復すると、入力端子に現れる電圧が上昇するから、制御手段はこれを検出して変換手段による放電動作を停止し再び充電手段による充電動作を実行し蓄電手段に電気エネルギーを蓄積する。このようにして、蓄電手段に保持されている電気エネルギーの量に応じた時間だけ、商用交流電源の瞬低や停電時のバックアップを行うことができる。なお、第２直流電圧は、直流電圧出力端に接続される機器の動作直流入力電圧範囲に応じて予め適宜に決めておけばよい。
【００１７】
本発明に係る直流電源用電圧低下保護装置では、好ましくは、前記代替直流電力分配手段は、前記複数の直流電圧出力端と該直流電圧出力端に接続された線路上に設けられた前記電流方向制限手段との間で電圧を検知する電圧検知手段を該直流電圧出力端毎に有し、複数の前記電圧検知手段により検知された電圧に基づいて、前記複数の直流電圧出力端に接続された負荷装置の異常又は該負荷装置に至る線路の異常を監視する異常監視手段をさらに備える構成とするとよい。
【００１８】
前述のように直流電圧出力端にサーボアンプ等の負荷装置のＰ／Ｎ端子が接続される場合、電圧検知手段は各サーボアンプ内部で平滑化された直流電圧の値を検知する。したがって、この検知電圧を予め定められた閾値と比較することにより負荷装置に故障等の異常が発生したり誤配線が行われたりしたことを認識することができる。また、検知電圧により負荷装置の接続の有無も認識することができる。そこで、異常監視手段による監視結果に基づいた表示やブザー鳴動などを行う構成とすることにより、本発明に係る直流電源用電圧低下保護装置において負荷装置側の異常、配線異常などの警告報知を行うことが可能である。
【発明の効果】
【００１９】
本発明に係る直流電源用電圧低下保護装置によれば、商用交流電力の電圧が低下したり停電が生じたりした場合に、代替直流電力分配手段を通して複数の負荷装置にそれぞれ直流電力が適切に分配・供給される。複数の負荷装置の仕様が異なる場合であっても、各負荷装置にそれぞれ必要な直流電力が供給されるので、電圧低下中や停電中に各負荷装置の運転や制御を継続させたり安全に停止させたりすることができる。また、本発明に係る直流電源用電圧低下保護装置によれば、複数の負荷装置に対する直流電源のバックアップを集約的に行うことができる。特に、代替直流電力生成手段において蓄電手段を充電する直流の充電電圧を蓄電手段の耐圧に応じてできるだけ高く設定することで、高いエネルギー効率を達成して、従来と同じバックアップ時間を実現するために必要な蓄電手段の容量を小さくし、装置自体を小型化して省スペース性を高めることができる。
【図面の簡単な説明】
【００２０】
【図１】本発明の一実施例による直流電源用電圧低下保護装置を含むシステム全体の概略構成図。
【図２】図１中のバックアップ電源部の概略構成図。
【図３】図１中の電力分配部の概略構成図。
【図４】サーボアンプを中心とするサーボモータ制御系の概略構成図。
【発明を実施するための形態】
【００２１】
本発明の一実施例である直流電源用電圧低下保護装置について添付図面を参照して説明する。図１は本実施例の直流電源用電圧低下保護装置を含むシステム全体のブロック図、図２は図１中のバックアップ電源部の概略構成図、図３は図１中の電力分配部の概略構成図である。
【００２２】
図１に示すように、本実施例の直流電源用電圧低下保護装置１は、商用交流電源２から各サーボアンプ３０に供給される交流電力の電圧が低下したり一時的に停止したりしたときに、それぞれサーボモータ３を駆動する複数のサーボアンプ３０のＰ／Ｎ端子３６に接続された線路を通して各サーボアンプ３０に代替直流電力を供給するものである。サーボアンプ３０を含むサーボ制御系の構成はすでに説明した図４と同じであるが、図１では一部を簡略化して記載してある。
【００２３】
本実施例の直流電源用電圧低下保護装置は、バックアップ電源部１０と電力分配部２０とを備え、バックアップ電源部１０に対して交流電圧入力端１０１を通して商用交流電力が供給され、複数の直流電圧分配出力端２０２ａ、２０２ｂ、…を通して電力分配部２０から各サーボアンプ３０に代替直流電力が供給されるようになっている。
【００２４】
バックアップ電源部１０は、図２に示すように、昇圧トランス（図示せず）やその一次側巻線に直列接続されたスイッチング素子（図示せず）を含む充電昇圧部１１と、ダイオードブリッジ回路を含む整流回路１２と、電解コンデンサ１４と、コンデンサ１３１、チョークコイル１３２、１３３、直列接続されたスイッチング素子１３４及びダイオード素子１３５、からなるＤＣ／ＤＣコンバータ１３と、スイッチング素子１３４をオン・オフ動作させるスイッチング駆動部１５と、交流入力電圧Ｖacが所定値以下に低下したことを検出する電圧低下検出部１７と、昇圧後の電圧（つまり電解コンデンサ１４の端子電圧ＶB）及び降圧後の電圧（つまり電圧低下時の出力電圧Ｖdc）をそれぞれ検出して監視する電圧モニタ部１６と、スイッチング駆動部１５を制御したり監視モニタ電圧入力端１０３から得られる信号に基づいて警告報知等を表示部１９２に行ったりする制御部１８と、を含む。
【００２５】
充電昇圧部１１及び整流回路１２は本発明における充電手段であり、制御部１８による制御の下に電解コンデンサ１４を充電したりその動作を停止したりする。また、ＤＣ／ＤＣコンバータ１３はチョッパ方式のＤＣ／ＤＣコンバータであり、スイッチング素子１３４をオン・オフさせて降圧を行う。この降圧の動作の実行／停止も、制御部１８により制御される。なお、放電時に降圧の代わりに昇圧するような構成、動作とすることも可能である。
【００２６】
交流電圧入力端１０１の入力電圧Ｖacの範囲は例えばＡＣ８５Ｖ〜４８０Ｖである。一方、電圧低下時にバックアップ電源部１０の直流電圧出力端１０２から出力される直流電圧Ｖdcは例えばＤＣ１２０〜４６０Ｖの範囲で任意に、つまりユーザが適宜に決めた値を入力部１９１により予め設定しておくものとする。また、電解コンデンサ１４の充電電圧、つまり端子電圧ＶBは電解コンデンサ１４の定格耐圧の制約の下に任意に決めることができるが、例えば耐圧が４５０Ｖである場合に充電電圧をＤＣ４２０Ｖと決めて入力部１９１により設定しておく。
【００２７】
電力分配部２０は、図３に示すように、直流電圧入力端２０１に接続された正負の線路が複数の電流方向制限部２２ａ、２２ｂ、…に並列に接続される構成となっている。電流方向制限部２２ａは、正極性の直流電圧入力端２０１から正極性の直流電圧分配出力端２０２ａに向かって順方向接続された第１ダイオード２３ａと、負極性の直流電圧入力端２０１から負極性の直流電圧分配出力端２０２ａに向かって逆方向接続された第２ダイオード２４ａと、各ダイオード２３ａ、２４ａと正負の直流電圧分配出力端２０２ａとの間の電位差を検出する電圧検出部２５ａと、を含む。図示しない他の電流方向制限部２２ｂ、…の構成も同様である。また、各電流方向制限部２２ａ、２２ｂ、…に含まれる電圧検出部２５ａ、…による検出値はそれぞれ通信処理部２６に入力される。通信処理部２６は複数の検出値を例えば所定形式に変換して監視モニタ電圧出力端２０３から出力する。この出力信号はバックアップ電源部１０の監視モニタ電圧入力端１０３を介して制御部１８に入力される。
【００２８】
直流電圧分配出力端２０２ａ、２０２ｂ、…は、図１に示したように、それぞれ別のサーボアンプ３０のＰ／Ｎ端子３６に接続される。サーボアンプ３０のＰ／Ｎ端子３６は、図４に示したように、サーボアンプ３０内部のコンデンサ３２の両端に直結されている。このため、電力分配部２０において電流方向制限部２２ａ、２２ｂ、…が設けられていないとすると、複数のサーボアンプ３０のコンデンサ３２が並列接続されてしまうことになる。これに対し、本実施例の構成では、第１ダイオード２３ａと第２ダイオード２４ａとを含む電流方向制限部２２ａ、２２ｂ、…によって複数のサーボアンプ３０のＰ／Ｎ端子３６は互いに分離されることになり、サーボアンプ３０内部のコンデンサ３２側からバックアップ電源部１０への不所望の電流の流れを阻止することが可能である。また、コンデンサ３２に蓄えられる直流電圧がバックアップ電源部１０から出力される直流電圧より低いサーボアンプ３０に向けて優先的に直流電力を供給することができるため、効率的に直流電力を供給することができる。
【００２９】
次に、本実施例の直流電源用電圧低下保護装置を含むシステム全体の動作を説明する。
商用交流電源２から商用交流電力が正常に供給されている場合には、各サーボアンプ３０はその商用交流電力に基づく直流電力によりサーボモータ３を駆動する。これは従来と同じ動作である。
【００３０】
一方、直流電源用電圧低下保護装置１のバックアップ電源部１０おいては、充電昇圧部１１で昇圧され整流回路１２で交流／直流変換されて得られた約４２０Ｖの直流電圧が電解コンデンサ１４に印加され、これにより充電がなされる。電圧モニタ部１６により検出される電解コンデンサ１４の端子電圧ＶBが４２０Ｖに達すると、制御部１８はこの電圧を維持するように充電昇圧部１１に含まれるスイッチング素子の動作を制御する。
【００３１】
直流電源用電圧低下保護装置１の直流電圧分配出力端２０２ａ、２０２ｂ、…は各サーボアンプ３０のＰ／Ｎ端子３６に接続されているため、商用交流電源２が正常であるときに電圧検出部２５ａ、２５ｂ、…により検出される電圧は各サーボアンプ３０のコンデンサ３２の両端電圧、つまりはインバータ部３３を駆動する直流電圧である。したがって、例えばサーボアンプ３０に何らかの異常があってコンデンサ３２の両端電圧が異常値になる場合、電圧検出部２５ａ、２５ｂ、…はこれを検知することができる。また、直流電圧分配出力端２０２ａ、２０２ｂ、…にサーボアンプ３０が接続されない筈であるのに接続されている場合や逆に直流電圧分配出力端２０２ａ、２０２ｂ、…にサーボアンプ３０が接続される筈であるのに接続されていない場合についても、電圧検出部２５ａ、２５ｂ、…はこれを検知することができる。
【００３２】
そこで、制御部１８は通信処理部２６を通し、監視モニタ電圧出力端２０３及び監視モニタ電圧入力端１０３を介して受け取った各電圧検出部２５ａ、２５ｂ、…による電圧の検出値が例えば所定閾値を超えているか否かを判定することにより、接続されたサーボアンプ３０の異常の有無を判断し、異常があると断定された場合には表示部１９２により警告表示を行う。これにより、サーボアンプ３０の異常を直流電源用電圧低下保護装置１において集中的に監視することができる。また、ユーザが予め各直流電圧分配出力端２０２ａ、２０２ｂ、…についてサーボアンプの接続／非接続を入力部１９１により設定可能としておき、制御部１８は検出された電圧値に基づいてサーボアンプの接続／非接続を判定し、設定された状態と相違する場合に表示部１９２により警告表示を行う。これにより、ユーザによる誤接続や誤配線を直流電源用電圧低下保護装置１において集中的にチェックすることができる。
【００３３】
一時的な停電等により商用交流電源２から供給される交流電力の電圧が低下すると、直流電源用電圧低下保護装置１において電圧低下検出部１７はこの電圧低下を検出する。この検出信号を受けた制御部１８はＤＣ／ＤＣコンバータ１３を放電動作させるべくスイッチング駆動部１５を介してスイッチング素子１３４を動作させる。すると、電解コンデンサ１４に蓄えられている電気エネルギーがＤＣ／ＤＣコンバータ１３に供給され、制御部１８に設定されている、例えば約２００Ｖまで降圧された直流電圧がＤＣ／ＤＣコンバータ１３から出力される。この直流電圧が直流電圧出力端１０２を通して電力分配部２０に送られる。ＤＣ／ＤＣコンバータ１３による降圧後の電圧の値は電圧モニタ部１６で検出されて制御部１８にフィードバックされ、制御部１８は降圧後の直流電圧が約２００Ｖに維持されるように、ＤＣ／ＤＣコンバータ１３のチョッパを制御する。電解コンデンサ１４に保持される電気エネルギーは放電に伴って減少するが、その充電電圧が４２０Ｖから２００Ｖ近くに下がるまでは、直流電圧出力端１０２から約２００Ｖの直流電圧が出力され続ける。
【００３４】
電力分配部２０において直流電圧入力端２０１に上記のような直流電圧が印加されると、並列に接続された電流方向制限部２２ａ、２２ｂ、…を通して各サーボアンプ３０にそれぞれ直流電力が供給される。サーボモータ３の仕様が異なる場合であっても、各サーボアンプ３０にはそれぞれ必要な直流電力が供給されるので、商用交流電源２からの電力供給が途絶えた場合であっても、各サーボアンプ３０はサーボモータ３の駆動を継続することができる。
【００３５】
当然のことながら、バックアップ電源部１０の電解コンデンサ１４に蓄積されている電気エネルギーに相当する分しか各サーボアンプ３０に代替直流電力を供給することはできないから、商用交流電源２からの電力供給停止が長引いた場合にはサーボモータ３を安全に停止させる必要がある。そこで、例えば電圧低下検出部１７による電圧低下検出信号を受けて、その電圧低下が所定時間（１秒間など）以上継続したことを検知したならば各サーボモータ３の運転を安全に停止させるようにサーボアンプ３０に指令を与える制御装置を別途設けたり、或いはそうした機能を制御部１８に持たせたりするとよい。
【００３６】
以上のようにして、本実施例の直流電源用電圧低下保護装置１では、商用交流電源２による電力供給の一時的な遮断が起こった場合でも、代替直流電力を複数のサーボアンプ３０に供給することができる。それによって、サーボアンプ３０に接続されたサーボモータ３は特に瞬時電圧低下の影響を受けることなく、動作を継続することができる。
【００３７】
上記実施例では蓄電手段として電解コンデンサ１４を用いているが、これに代えて電気二重層キャパシタ、リチウムイオンキャパシタなどのほか、バッテリ等の２次電池を利用することもできる。
【００３８】
また上記実施例は本発明の一例であり、本発明の趣旨の範囲で適宜変形、修正、追加を行っても本願特許請求の範囲に包含されることも当然である。
【符号の説明】
【００３９】
１…直流電源用電圧低下保護装置
２…商用交流電源
３…サーボモータ
４…エンコーダ
５…信号処理部
１０…バックアップ電源部（代替直流電力生成手段）
１０１…交流電圧入力端
１０２…直流電圧出力端
１０３…監視モニタ電圧入力端
１１…充電昇圧部（充電手段）
１２…整流回路（充電手段）
１３…ＤＣ／ＤＣコンバータ（変換手段）
１３１…コンデンサ
１３２…チョークコイル
１３４…スイッチング素子
１３５…ダイオード素子
１４…電解コンデンサ（蓄電手段）
１５…スイッチング駆動部
１６…電圧モニタ部
１７…電圧低下検出部
１８…制御部
１９１…入力部
１９２…表示部
２０…電力分配部（代替直流電力分配手段）
２０１…直流電圧入力端（入力端）
２０２ａ、２０２ｂ…直流電圧分配出力端（直流電圧出力端）
２０３…監視モニタ電圧出力端
２２ａ、２２ｂ…電流方向制限部
２３ａ、２４ａ…ダイオード（電流方向制限手段）
２５ａ、２５ｂ…電圧検出部（電圧検知手段）
２６…通信処理部
３０…サーボアンプ（負荷装置）
３１…整流部
３２…コンデンサ
３３…インバータ部
３４…出力電流検出部
３５…制御回路部
３６…Ｐ／Ｎ端子
【図１】
2013150380.tif 000003
【図２】
2013150380.tif 000004
【図３】
2013150380.tif 000005
【図４】
2013150380.tif 000006